(57)【要約】【課題】  排水中のつまりの原因となる汚れ物質を除去し、除去した汚れ物質を廃棄したり、清掃したりする手間を省くとともに、ヌメリやカビなどの発生を防止することのできるフィルター装置およびその洗浄方法を提供する。【解決手段】  （１）酸化性物質を含む酸化水が流入する排水口を有し、流入した前記酸化水の少なくとも一部を貯蔵するトラップ、（２）前記トラップ内に収容された、有機物の少なくとも一部を捕捉するためのストレーナー、（３）前記トラップ内の前記酸化水を加熱する加熱手段、（４）前記トラップの排水口を閉じるトラップ蓋、（５）前記トラップと外部下水配管とを繋ぐ排水管、および（６）前記トラップ内に前記酸化水を供給する酸化水供給手段を備えるフィルター装置。このフィルター装置においてはストレーナーに捕捉された有機物が酸化水とともに加熱され除去される。【選択図】図２
2007002526.tif 000002
【特許請求の範囲】
【請求項１】
（１）酸化性物質を含む酸化水が流入する排水口を有し、流入した前記酸化水の少なくとも一部を貯蔵するトラップ、
（２）前記トラップ内に収容された、有機物の少なくとも一部を捕捉するためのストレーナー、
（３）前記トラップ内の前記酸化水を加熱する加熱手段、
（４）前記トラップの排水口を閉じるトラップ蓋、
（５）前記トラップと外部下水配管とを繋ぐ排水管、および
（６）前記トラップ内に、前記酸化水を供給する酸化水供給手段
を備えるフィルター装置。
【請求項２】
前記トラップにその貯蔵量以上に前記酸化水が流入した場合に、前記酸化水を前記排水管へと流す排水機構をさらに備える請求項１に記載のフィルター装置。
【請求項３】
前記酸化水供給手段が、電解水を供給する電解水供給手段である請求項１記載のフィルター装置。
【請求項４】
前記電解水供給手段が、
陽極室、陰極室、前記陽極室と前記陰極室との間に配置される隔膜を含む電解槽、
前記陽極室に配置される陽極、
前記陰極室に配置される陰極、
前記陽極と前記陰極との間に通電する通電手段、
前記陽極室で生成した陽極水と前記陰極室で生成した陰極水とを混合して、電解水を調製する混合手段、
前記混合手段で調製された電解水のｐＨを調節する電解水用ｐＨ調整手段、
前記トラップ内からの逆流を防止しながら、前記電解水を送液する送液手段
を備える請求項４記載のフィルター装置。
【請求項５】
前記トラップ内の前記酸化水を中和するための中和手段をさらに備える請求項１、３または４のいずれかに記載のフィルター装置。
【請求項６】
（ａ）内部にストレーナーを備えるトラップに前記トラップの排水口から酸化性物質を含む酸化水を流入して、前記ストレーナーと前記酸化水とを接触させる工程、
（ｂ）前記トラップの排水口を、トラップ蓋で閉じる工程、
（ｃ）前記トラップ内の酸化水を、加熱手段で加熱する工程、および
（ｄ）加熱後の前記酸化水の温度が低下した後に、前記排水口から前記トラップ蓋を除き、前記トラップから前記酸化水を排出する工程
を含むフィルター装置の洗浄方法。
【請求項７】
前記工程（ｃ）における所定温度が１５０℃以下である請求項６に記載の方法。
【請求項８】
前記酸化水が、少なくともハロゲン塩を含んだ水を電気分解して生成した電解水である請求項６に記載の方法。
【請求項９】
前記工程（ａ）において、前記酸化水のｐＨが５．８以上である請求項６に記載の方法。
【発明の詳細な説明】
【技術分野】
【０００１】
本発明は、洗面所、浴室や台所の流し台等の排水口に設置して、毛髪や石鹸カス等のごみの流出を防止すると共に、これらごみを分解可溶化により除去して再生を行うことができる排水口用フィルター装置およびそのフィルター装置の洗浄方法に関する。
【背景技術】
【０００２】
通常、浴室、洗面、台所流し台などで生じる排水は、排水トラップ及び排水管を通して、そのまま下水道等へ排出されている。しかし、毛髪、埃などの水に不溶性で大きさが数十ミクロン以上のごみは、排水トラップや排水管に詰りやすい。このようなごみが排水トラップや排水管に詰まることにより、排水能力が低下して水が溢れたり、漏水したりする。さらには、カビやヌメリが発生し、不衛生になり、悪臭の原因ともなる。そのような汚れやごみを取り除くために、従来から、例えば、浴室の排水口などに、図１に示されるような、目皿やストレーナーを含むフィルター装置が設置されている。
【０００３】
図１のフィルター装置は、浴室床面２に設けられた化粧ふた１、その下方に設けられたストレーナー３およびトラップ５を備える。トラップ５は、封水筒４を備える。また、トラップ５には、排水管６が接続されている。
【０００４】
しかし、目皿やストレーナーにしても、髪の毛、石鹸クズ、唾等のゴミや汚物がたまったら、定期的にそれを掃除する必要がある。しかしながら、毛髪や唾液などは、ストレーナーにからみついてしまって掃除がしにくいことがある。また、ヌメリなどは簡単に除去できないことがある。
【０００５】
さらには、排水口のごみは非常に汚く感じるもので、それが掃除しにくいものであれば、余計に嫌悪感を感じるものである。自分の家庭内ならともかく、不特定多数の人が使用するホテル、会社、学校などでは、掃除を行うことに非常に抵抗があるという問題がある。
【０００６】
その対策の１つとして、排水中のごみを、そのごみを捕捉したフィルターとともに家庭用ゴミや可燃物ゴミとして廃棄する方法がある。例えば、使い捨て可能で安価で、可燃性であり、かつ濾過及びフィルタリングの機能に優れている、排水口用の簡易フィルターが提案されている(特許文献１参照)。
【０００７】
別の対策としては、トラップ内を浄化する方法がある。例えば、微生物浄化によりトラップ内の汚廃物を分解処理することのできる水垢処理機が提案されている（特許文献２参照）。
【０００８】
なお、配管の構造を詰まりにくい構造にして、ストレーナーなどを設置することなく、排水を下水道等にそのまま流すことも考えられる。
【特許文献１】特開平７−３００８８９号公報
【特許文献２】特開平８−２２９５８５号公報
【発明の開示】
【発明が解決しようとする課題】
【０００９】
しかしながら、特許文献１に記載される技術においては、簡易フィルターにより、汚れなどが簡易に取れるにしても、定期的に清掃、交換することが必要であること、ぬめりなどが発生するためにその交換時において不衛生であること、特に簡易フィルター以外のストレーナーなどの構成部材は交換されないため、ヌメリ、カビなどが発生し、定期的に清掃する必要があるという欠点がある。
【００１０】
特許文献２に記載される技術においては、水垢などは処理できるが、髪の毛など固形物は処理することができないため、定期的にそれらを取り除く必要がある。また、処理できない髪の毛などの固形物に石鹸カスなどが集まり、それらが微生物の栄養源となって、ヌメリ、カビ、悪臭などが発生する場合がある。
【００１１】
また、排水をそのまま流すことは、汚水処理の末端にある浄化設備に多大の負担をかける結果となっている。特に毛髪の場合は、バッキ処理等をしても消滅せず、浄化設備の回動部分に付着して、設備の故障につながるケースが多い。
【００１２】
そこで、本発明は、排水中のつまりの原因となる汚れ物質を除去し、除去した汚れ物質を廃棄したり、清掃したりする手間を省くとともに、ヌメリやカビなどの発生を防止することのできるフィルター装置を提供することを目的とする。
【課題を解決するための手段】
【００１３】
本発明は、
（１）酸化性物質を含む酸化水が流入する排水口を有し、流入した酸化水の少なくとも一部を貯蔵する（容器状の）トラップ、
（２）トラップ内に収容された、有機物の少なくとも一部を捕捉するためのストレーナー、
（３）トラップ内の酸化水を加熱する加熱手段、
（４）トラップの排水口を閉じるトラップ蓋、
（５）トラップと外部下水配管とを繋ぐ排水管、および
（６）トラップ内に酸化水を供給する酸化水供給手段を備えるフィルター装置に関する。
ここで、有機物とは、生ごみ、皮膚、石鹸カス、糸くず、紙くず、毛髪、およびカビやヌメリなどの微生物由来成分からなる汚れなどを含む。
【００１４】
上記フィルター装置において、トラップにその貯蔵量以上に酸化水が流入した場合に、酸化水を排水管へと流す排水機構をさらに備えることが好ましい。
【００１５】
上記フィルター装置において、酸化水供給手段が、酸化性物質を含む電解水を供給する電解水供給手段であることが好ましい。
【００１６】
上記フィルター装置において、電解水供給手段が、陽極室、陰極室、および陽極室と陰極室との間に配置される隔膜を含む電解槽と、陽極室に配置される陽極と、陰極室に配置される陰極と、陽極と陰極との間に通電する通電手段と、陽極室で生成した陽極水と陰極室で生成した陰極水とを混合して、電解水を調製する混合手段と、混合手段で調製された電解水のｐＨを調節する電解水用ｐＨ調整手段と、トラップ内からの逆流を防止しながら、電解水を送液する送液手段とを備えることが好ましい。
【００１７】
上記フィルター装置は、トラップ内の酸化水を中和するための中和手段をさらに備えることが好ましい。
【００１８】
また、本発明は、
（ａ）内部にストレーナーを備えるトラップに、トラップの排水口から酸化性物質を含む酸化水を流入して、ストレーナーと酸化水とを接触させる工程、
（ｂ）トラップの排水口をトラップ蓋で閉じる工程、
（ｃ）トラップ内の酸化水を加熱手段で加熱する工程、および
（ｄ）加熱後の酸化水の温度が低下した後に、排水口からトラップ蓋を除き、トラップから酸化水を排出する工程を含むフィルター装置の洗浄方法に関する。
【００１９】
上記洗浄方法において、工程（ｃ）における所定温度が１５０℃以下であることが好ましい。
【００２０】
上記洗浄方法において、酸化水は、少なくともハロゲン塩を含んだ水を電気分解して生成した電解水であることが好ましい。
【００２１】
上記洗浄方法の工程（ａ）において、酸化水のｐＨが５．８以上であることが好ましい。
【発明の効果】
【００２２】
本発明のフィルター装置によれば、ストレーナーに捕捉された排水管のつまりの原因となる有機物（汚れ物質）を可溶化して、外部に排水することができる。このため、ストレーナーに捕捉された有機物を廃棄したり、ストレーナー等を清掃したりする手間を省き、また、ストレーナーやトラップにヌメリやカビなどの発生を防止することができる。
【発明を実施するための最良の形態】
【００２３】
本発明のフィルター装置は、（１）酸化性物質を含む酸化水が流入する排水口を有し、流入した酸化水の少なくとも一部を貯蔵する（容器状の）トラップ、（２）トラップに収容された、有機物の少なくとも一部を捕捉するためのストレーナー、（３）トラップ内の酸化水を加熱する加熱手段、（４）トラップの排水口を閉じるトラップ蓋、（５）トラップと外部下水配管とを繋ぐ排水管、および（６）トラップ内に酸化水を供給する酸化水供給手段を備える。
【００２４】
以下、本発明のフィルター装置の好ましい実施形態について図面を参照しながら説明する。
実施の形態１
図２に、本発明の一実施形態に係るフィルター装置を示す。
図２のフィルター装置は、浴室床面より下方に取り付けられており、排水口を備えるトラップ１３、トラップ１３内に収容されたストレーナー１２、トラップ１３と外部下水配管とを繋ぐ排水管１５、トラップ内の酸化水を加熱する加熱手段１４、トラップの排水口を閉じるトラップ蓋１１、およびトラップ内に酸化水を供給する酸化水供給手段（図示せず）を備えている。
【００２５】
ストレーナー１２としては、トラップに流入した排水に含まれる有機物の少なくとも一部を捕捉することができるものが用いられる。このようなストレーナーとしては、種々のものを用いることができる。例えば、プラスチックや金属からなる網目状のものであってもよい。また、砂ろ過、一般ろ過、精密ろ過に使用されるろ材や膜を用いることもできる。形状も粉状、粒状、平状、管状、中空糸状などが使用できる。なお、そのストレーナーにより、ストレーナーのメッシュのサイズにもよるが、数ｍｍから数ミクロンまでのサイズのごみや汚れがフィルトレーションされる。
【００２６】
本発明においては、少なくとも、有機物が付着したストレーナーが洗浄される。ストレーナーの浄化は、例えば、
（ａ）内部にストレーナーを備えるトラップに、トラップの排水口から酸化性物質を含む酸化水を流入して、ストレーナーと酸化水とを接触させる工程、
（ｂ）トラップの排水口を、トラップ蓋で閉じる工程、
（ｃ）トラップ内の酸化水を、加熱手段で加熱する工程、
（ｄ）加熱後の酸化水の温度が低下した後に、排水口からトラップ蓋を除き、トラップから加熱後の酸化水を排出する工程を含む方法により行うことができる。
【００２７】
まず、排水口からトラップへの排水の流入が途切れた段階で、水に酸化性物質を混合した酸化水をトラップ１３内に流入し、酸化水とストレーナーとを接触させる。このとき、ストレーナー全体が酸化水に浸り、そのストレーナーに捕捉された有機物と酸化水とが接している状態にあることが好ましい。
【００２８】
酸化水は、酸化水供給手段により、例えば、トラップの排水口から流し込んで、トラップ内へ供給することができる。また、酸化水供給手段とトラップとをつなぐ配管を設け、酸化水を酸化水供給手段からトラップ内に直接供給できるようにしてもよい。
【００２９】
本発明において、酸化水とは、酸化性物質を含む水のことである。酸化性物質としては、ＯＨラジカル、オゾン、ペルオキシ二硫酸イオン、過酸化水素、過マンガン酸イオン、塩素、二クロン酸イオン、酸素、二酸化塩素、亜ハロゲン酸、次亜ハロゲン酸、次亜ハロゲン酸イオンなどが挙げられる。また、亜ハロゲン酸、次亜ハロゲン酸、次亜ハロゲン酸イオンのうちでも、亜塩素酸、亜臭素酸、亜ヨウ素酸、次亜塩素酸、次亜臭素酸、次亜ヨウ素酸、次亜塩素酸イオン、次亜臭素酸イオン、次亜ヨウ素酸イオンが好ましく、酸化力の強さから、塩素または臭素を含むものが好ましい。これらは、単独で用いてもよいし、２つ以上を組み合わせて用いてもよい。特に、酸化性物質は、次亜塩素酸および次亜塩素酸イオンのうちの少なくとも一方を含むことが好ましい。これらは、試薬としても簡易に入手することができ、また食塩水の電気分解によっても簡易に作製することができるからである。
【００３０】
酸化水は、酸化性物質を水に溶解することにより調製することができる。例えば、別に貯留していた過酸化水素（保存の容易さから希釈したもの）や液体塩素等を水に加えることにより、酸化水を作製することができる。また、亜塩素酸ナトリウム、次亜塩素酸ナトリウム、次亜塩素酸カルシウム（高度さらし粉を含む）、過マンガン酸カリウム、ニクロン酸カリウムを水に加えて、イオン化させることにより、前述のイオン種を生成させることができる。さらには、亜塩素酸ナトリウムに塩酸を加えて二酸化塩素を発生させ、その二酸化塩素を水と混合することにより、酸化水を作製することもできる。また、酸化性物質を高濃度で含んだものを水に希釈することにより、酸化水を調製することもできる。
【００３１】
酸化水は、酸化水生成手段により作製してもよい。酸化水生成手段としては、酸化性物質を含んだ水を生成できるものであれば、どのようなものを用いてもよい。例えば、オゾン発生器を備えるものが挙げられる。このような装置では、オゾン発生器により発生させたオゾンが水と混合されて、酸化水が作製される。
【００３２】
酸化水をトラップに供給するために酸化水供給手段は、例えば、酸化水を保持するタンクと弁などから構成することができる。例えば、酸化水をその供給手段から排水口へ向けて注入し、トラップ内を酸化水で満たすことができる。
また、酸化水を保持するタンクから専用の配管を設けて流し入れてもよいし、酸化水をタンクからポンプにてトラップ内に送液してもよい。この場合、酸化水の供給量を制御することもできる。
また、酸化水供給手段は上記酸化水生成手段を備えていてもよい。
【００３３】
次に、トラップの排水口をトラップ蓋で閉じ、トラップ内の酸化水を加熱手段により加熱する。
ストレーナーに付着した有機物（汚れ成分）と酸化水とを接触させ、酸化水を加熱することにより、その有機物が酸化性物質により酸化され、その有機物の水への親和性が向上する。その水への親和性が増加した有機物は、加熱された水によって、容易に加水分解されるようになる。さらに、加水分解により有機物が低分子化されて、水に有機物が溶けたり、自ら液状となることで液化が進行する。
このような酸化（変性）および分解反応によって、有機物はストレーナーよりも水側へ展開されやすくなり、水の排出と共に除去され易くなる。また、有機物の少なくとも一部が液化することで、有機物の排水がより容易となる。
ここで、液化とは、有機物が変性および加水分解することによる、有機物のスラリー化、可溶化、液滴化をさす。
なお、有機物の液化の量が少なくても、有機物の少なくとも一部が低分子化されることにより、塊が粒状に、繊維状のものが短繊維となって、酸化水に分散して、その酸化水と共に排出される。
また、有機物が高分子量物であっても、酸化性物質による酸化により水への親和性が向上し、加熱された水によって容易に加水分解されるようになる。
【００３４】
また、上記のように、流入口をトラップ蓋で閉じることにより、加熱時におけるトラップ内の蒸気が浴室など使用者側へ気散または放散することを防止することが可能となる。排水管は密閉されないため、トラップ内は閉鎖系ではないために、トラップ蓋は高耐圧性である必要はない。しかしながら、発生したガス成分の蒸気が使用者側に流出がないように、トラップ蓋としては、パッキンなどを含んだかしめ式のフタであることが好ましい。さらには、トラップ蓋のかしめによって加熱が可能となる安全ロック機構を備えていることがさらに好ましい。
なお、排水がたまった排水管が凝縮機としての役割を果たすため、加熱によって生じる水蒸気などのガス成分は、トラップ内において還流状態となる。このため、トラップ内の水分が少なくなることを防止することができ、また発生したガス成分が多量に下水配管に流れ込むことを防止することができる。
【００３５】
次いで、有機物が溶解または分散した加熱後の酸化水が、その温度が低下した後に、トラップから排出される。加熱後の酸化水の排出は、例えば、トラップにその貯蔵量以上に酸化水を流入させた場合に、酸化水を排水管へと流す排水機構により行うことができる。例えば、図２に示すように、排水管としてＵ字状のものを用い、Ｕ字の湾曲部が上方となるように、トラップに接続する。このとき、その湾曲部の内側の空間の下部の位置が位置基準線１６と同じになるようにトラップを配置する。トラップの位置基準線１６まで酸化水を満たして加熱した後に、トラップ蓋を解放して、排水などの水を流入させる。サイホンの原理により、トラップ内の有機物が溶解等した酸化水を、排水管を通じて下水配管へと排水することができる。また、専用の配管を設けておき、その配管に加熱後の酸化水等を流入させて排水することができる。このとき、トラップ蓋を開けずに排水できるようにすることが可能である。
【００３６】
上記のように、加熱後の酸化水は、その温度が低下したのちに、トラップから排出される。このとき、例えば、下水道に排水する場合、酸化水の温度が、流入水の基準である４５℃未満になってから排出することが好ましい。
【００３７】
本発明において、トラップ内に供給される酸化水のｐＨは５．６以上であることが好ましい。例えば、酸化水のｐＨの調節は、ｐＨ調節手段を用いて行うことができる。ｐＨ調節手段は、例えば、ｐＨ調節剤を含むタンクおよび弁などから構成することができる。
ｐＨが５．６未満であれば酸化反応性が高すぎて、酸化開裂、分解などの副反応が起こりやすくなり、不溶性の不純物が発生して除去性が低下することがある。一方、ｐＨが５．６以上であれば、有機物の酸化反応性が向上する。さらには、酸化によって生成する酸の溶解性が上がり、酸化反応が進みやすくなると共に、反応生成物の水和性がより高くなる。
【００３８】
また、酸化水のｐＨを５．６以上に調節する場合、分解しようとする有機物に接触した酸化水のｐＨを実測しながら、そのｐＨを調節することが好ましい。ただし、対象とする有機物の種類と量をあらかじめ限定しておくことで、接触時のｐＨを測定しなくとも添加する酸化水のｐＨを調整するのみで、酸化水のＰＨを５．６以上にすることも可能である。例えば、添加する酸化水のｐＨ値と添加量を前もって調節しておき、有機物と接触した後に、酸化水が所定のｐＨとなるようにすることができる。
【００３９】
酸化水の有効塩素濃度は、１００〜２０００ｐｐｍであることが好ましい。有効塩素濃度が１００ｐｐｍ未満では、酸化力が不十分であり酸化する割合が低すぎて、蛋白質などの有機物同士の分子間力が水和力よりも大きく、有機物と水の反応性が向上しない場合がある。有効塩素濃度が２０００ｐｐｍを超えると、酸化力は十分であるが副反応が盛んになる。このため、不溶性の不純物が発生して逆にこびりつきが大きくなることもあるし、トラップ等が大きく腐食されてしまうことがある。
【００４０】
酸化水の加熱温度は、４０℃以上１２０℃以下であることが好ましく、４０℃より高く１２０℃以下であることがさらに好ましい。加熱温度が４０℃未満では、酸化性物質による有機物の酸化が十分でなく、よって有機物の水に対する親和性や加水分解性が向上しない、つまり、有機物の低分子化に必要な加水分解反応が不十分であり、有機物の液化が進行しないことがある。加熱温度が１２０℃を超えると、酸化による分解が起こりやすくなるとともに、分解された有機物の副反応が激しくなり、タールなどが生成し、ストレーナーやトラップからの汚れ除去性が低下することがある。また、前記のように、タールなどが発生するために、そのタール等による汚染も問題となる場合がある。さらに、高温耐圧施設が必要となり、安全性からも好ましくない。
【００４１】
加熱手段としては、トラップ内の酸化水を加熱できるものであれば特に限定されない。例えば、ジュール熱を用いた電気加熱装置、ガスや石油などの燃焼熱を用いた燃焼加熱装置、ヒートポンプ、誘導加熱装置などが考えられる。電気加熱などの接触加熱を採用する場合は、トラップの内壁に設置したり、投げ込みヒータのように配管をコイル状にしてトラップ内部の水に直接接触させたりして、加熱効率を高めることが好ましい。
【００４２】
さらに、加熱時のエネルギーロスを低下させるために、例えば、加熱手段として、ガラスウールなどの断熱材で外部を覆って断熱性をあげたものが特に推奨される。
また、上記フィルター装置に温度測定手段をさらに設け、その温度測定手段により加熱手段の加熱温度を制御してもよい。温度測定手段は、加熱時の耐圧性と化学的な耐性のあるものであればよく、例えば、表面がステンレスで覆われた熱電対を用いることができる。また、熱電対として、例えば、クロメル−アルメル合金、白金合金を用いることができる。
【００４３】
加熱後のトラップ内の酸化水は、酸性になっていることが多い。このため、フィルター装置は、加熱後の酸化水に中和剤を添加し、その酸化水のｐＨを中性付近に中和するための中和手段を備えていることが好ましい。中和剤としては、中和できるものであれば特に限定されるものではない。例えば、チオ硫酸ナトリウム、苛性ソーダ、消石灰等、またはそれらの水溶液、あるいはアンモニア水などが挙げられる。上記中和手段は、例えば、中和剤を収容するタンクと弁などから構成することができる。
【００４４】
加熱後の酸化水の中和は、酸化水のｐＨを実測し、中性に変化することを確認しながら行うことが好ましい。例えば、加熱後の酸化水を下水道へ流入することができるように、そのｐＨを下水道への流入基準であるｐＨ５．６〜８．６に調整することが好ましい。
【００４５】
なお、加熱後にトラップの内容物を排出したあとで、雑菌が繁殖しないように、上記加熱手段を用いてトラップの内部を乾燥させてもよい。
【００４６】
以上のように、本発明により、ストレーナーに捕捉されたごみや毛髪等、ストレーナー等に生じたカビやヌメリなどの微生物由来成分などからなる汚れ等を、分解可溶化して除去することができる。
【００４７】
また、トラップ１３、トラップ１３に接続された排水管などは、有機物と酸化性物質の加熱状態で酸やアルカリなどに対して十分な耐久性を有する材料で構成されることが好ましい。この構成材料としては、加熱時または有機物の液化後による腐食をできるだけ避ける材料が用いられる。例えば、トラップ、配管材の少なくとも液化した液が接触する面は、ＳＵＳ３０４やＳＵＳ３１６などのステンレス鋼、ハステロイやインコネルなどの耐熱性合金、ポリテトラフルオロエチレン（ＰＴＦＥ）やテトラフルオロエチレン・パーフルオロアルキルビニルエーテルコポリマー（ＰＦＡ）などのフッ素樹脂、あるいは硬質の塩化ビニル樹脂、ポリプロピレン、ポリエチレン、シンジオタクチックポリスチレンなどから構成されることが好ましい。
なお、上記のように、ストレーナーとしては、種々のものを用いることができる。例えば、ストレーナーは、上記のような材料からなる網目状のものであってもよい。
また、加熱後の酸化水を４５℃未満になってから排出する場合には、排水管等に、風呂周りで活用している硬質塩ビ、塩ビライニング鋼管などを使用でき、フィルター装置を安価に構成できる。
【００４８】
実施の形態２
本発明において、酸化水は、ハロゲン化物塩のような電解質を含む水を電気分解して得られる電解水であってもよい。ここで、電解水とは、電解質を含む水溶液を電解することにより得られる酸化性物質を含む水のことをいう。この電解水は、例えば、電解水供給手段を用いて作製することができる。この電解水供給手段を備えるフィルター装置を、図３を参照しながら説明する。
【００４９】
図３に、本発明の別の実施形態に係るフィルター装置を示す。図３において、図２と同じ構成要素には、同じ番号を付している。
図３のフィルター装置においては、図２のフィルター装置に、電解水供給装置が酸化水供給装置の代わりに加えられている。
電解水供給手段は、電解水生成手段１７とトラップ内からの逆流を防止しながら、電解水を送液する送液手段１８とからなる。電解水生成手段は、酸化性物質を含んだ電解水を作製することができるものを限定することなく用いることができる。例えば、電解水生成手段としては、陽極室、陰極室、陽極室と陰極室との間に配置される隔膜を含む電解槽と、陽極室に配置される陽極と、陰極室に配置される陰極と、陽極と陰極との間に通電する通電手段と、陽極室で生成した陽極水と陰極室で生成した陰極水とを混合して、電解水を調製する混合手段と、混合手段で調製された電解水のｐＨを調節する電解水用ｐＨ調整手段とを備えるものが挙げられる。
液送手段１８としては、逆止弁、あるいは逆止弁とポンプとの組み合わせ等を用いることができる。
【００５０】
また、電解水には、電気分解により陽極近傍に生成する陽極水、陰極近傍に生成する陰極水、陽極水と陰極水を合わせた両極水がある。隔壁や電解液の種類を変更したり、上記混合手段や電解水用ｐＨ調節手段を用いることにより、酸性水、微酸性水、電解次亜水、アルカリ水などの電解水を調製できる。例えば、水道水を電気分解することによって、薬剤などを添加することなく、酸化性物質、例えば、次亜塩素酸、過酸化水素を含有する水を作製できる。この場合、ｐＨが、薬剤を添加することなく調整可能であるため、取り扱いが容易となり、特に推奨される。
【００５１】
電解水を調製する場合には、上記のように残留塩素のある水道水のみを電解してもよいが、酸化性物質量を増加させるために、水または水道水等にハロゲン塩を投入し、それを電解することが好ましい。ハロゲン塩としては、塩化物、臭化物、フッ化物であればいいが、特に、ＮａＣｌ、ＫＣｌは、イオンへの解離も高く、取り扱いも容易であり、特に推奨される。
水または水道水等へのハロゲン塩の投入は、例えば、塩供給手段を用いて行うことができる。塩供給手段は、例えば、塩供給タンクと塩供給ポンプとから構成することができる。塩供給タンクに塩化ナトリウム水溶液を蓄えておき、塩供給ポンプによって、その塩化ナトリウム水溶液を、水または水道水等を含む電解槽に必要量加えることによって、塩を供給することができる。
塩供給ポンプの塩化ナトリウム濃度は高い方が好ましい。その方がポンプによる少量の添加で、水または水道水等における電解質濃度を上げることができる。また、塩供給タンクにおいては、水に溶解しきれない過剰量の塩化ナトリウムと、水とを供給しておき、その上澄みを、電解槽にポンプで供給してもよい。
【００５２】
電解槽への水の供給は、例えば、水供給手段により行うことができる。水供給手段は、電解時に必要な水の量を電解水生成手段に供給できれるものであればよい。水供給手段の例としては、例えば、一度に使用する以上の水の量を一時的に保持するタンクと弁などからなるもの、上水を接続され必要に応じて水を供給する電磁弁からなるもの等が挙げられる。
【００５３】
上記電解槽としては、例えば、塩化ビニル樹脂、ポリプロピレン、ポリエチレンなどの樹脂で構成したものを用いることができる。配管には、硬質塩ビ管などを用いることができる。
隔膜としては、セラミック、樹脂、ガラス繊維などからなるものを用いることができる。例えば、隔膜として、ポリエステル、ガラス繊維の不織布に０．２〜２００μｍの孔径の樹脂皮膜をつけて親水性としたものを使用できる。
【００５４】
電極の材料としては、電気分解反応の用途で通常用いられる材料、例えば、表面に、ルテニウム、イリジウム、白金、パラジウム、ロジウム、錫またはこれらの酸化物あるいはフェライトを有する材料を用いることが好ましい。例えば、電極そのものがこれらの物質で構成されていてもよい。または、電極の基材の表面が、上記材料で被覆されていてもよい。ルテニウム、イリジウム、白金、パラジウム、ロジウム、錫は、単体であってもよいし、酸化物であってもよい。これらの金属の合金も好適に用いられる。合金としては、例えば、白金−イリジウム合金、ルテニウム−錫合金、ルテニウム−チタン合金などが挙げられる。上記材料等は、耐食性に優れており、陽極として用いる場合に優れた不溶性を示す。
【００５５】
塩素発生用の電極としては、更に不溶解性、電解水質の安全性、逆電圧洗浄時の耐久性が要求される。このため、特に、パラジウム、ルテニウム、白金とイリジウムとの合金を主成分とする材料からなる電極が好ましい。
なお、陰極としては、特に厳しい不溶性が要求されないため、例えば、ステンレス、炭素鋼、チタン又はチタン合金、ハステロイ、インコネル等のニッケル合金などの材料からなるものを用いることができる。
【００５６】
電気分解は、例えば、電圧は５〜５０Ｖ、電流は電極表面積あたり０．５〜６００Ａ／ｍ2の条件で実施することが好ましい。なお、電流密度が６００Ａ／ｍ2より高い場合には、陽極の表面が剥離したり、溶出し易くなる場合がある。電流密度が０．５Ａ／ｍ2より低い場合には、陽極の面積を大きくする必要があり、小型化が困難となる場合がある。
【００５７】
上記のように、酸化水としては、電極の間に隔膜で仕切って、陽極水と陰極水を別個に取り出して陽極水だけを用いた強酸性電解水または若干の陰極水を追加して酸性電解水に調整したものなど、混合のバランスを変化させた電解水を用いることができる。また、電解槽の隔膜をなくして、電気分解を行うことにより生成される弱酸性電解水を酸化水として用いることもできる。
なお、塩素を含む塩を溶解した水を電解した場合、少なくとも陽極側の電解水には、次亜塩素酸が多く含まれる。
【００５８】
電解水の場合にも、その有効塩素濃度は、１００〜２０００ｐｐｍであることが好ましい。これは、上記と同様の理由による。
【００５９】
上記実施の形態１と同様に、本実施形態においても、トラップ内に供給された酸化水のｐＨを５．６以上にできるように、ｐＨ調節手段を備えていてもよい。なお、本実施形態の場合、陽極水と陰極水の混合比を調節することにより、電解水のｐＨをあらかじめ設定することができる。
【００６０】
また、本実施形態において、トラップからの電解水の排出は、電解水供給手段からトラップへ電解水を注入する配管から水を流入させ、トラップ内の電解水を外部へ排出させることもできる。
【００６１】
また、上記実施の形態１と同様に、フィルター装置に、加熱後の電解水を中和するための中和手段を設けてもよい。本実施形態においては、中和剤として、電解水生成手段の陰極側で生成されたアルカリ性の水を用いることができる。なお、作製したアルカリ性の水が残っていた場合は、そのアルカリ性の水を一時的に保存し、それを中和剤として使用することもできる。
【００６２】
以下、本発明のフィルター装置について、実施例に基づいて説明する。なお、以下の実施例は、本発明の一実施形態を説明するためのものであり、本発明を限定するものではない。
【実施例１】
【００６３】
図２に示すフィルター装置を用いて実験を行った。
トラップ１３およびトラップ蓋１１としては、ステンレス製のものを用いた。トラップの内容積は１２０ｍｌであった。ストレーナー１２としては、ＳＵＳ製メッシュを用いた。ストレーナーの開孔の大きさは５００ミクロンであった。トラップの側面をバンドヒータ１４で覆い、トラップ内を外部から加熱できるようにした。また、トラップに接続される排水管１５としては、硬質の塩化ビニル製でＵ字型のものを用いた。排水管１５は、Ｕ字の湾曲部が上方となるように、トラップに接続した。このとき、その湾曲部の内側の空間の下部の位置が位置基準線１６と同じになるようにした。
【００６４】
実験において、５０ｍｍから１００ｍｍの長さの毛髪１．０ｇを水１Ｌに分散させたものを排水として用いた。
トラップ蓋１１を外して、トラップを開放した状態で、この排水を、排水口からトラップ内に注入した。その結果、毛髪はストレーナーに捕捉され、トラップから排出され排水管に流入した排水には毛髪は認められなかった。
【００６５】
次に、有効塩素濃度が２０００ｐｐｍ、ｐＨ１０の次亜塩素酸ナトリウム水溶液１５０ｍｌを酸化水として、酸化水供給手段により排水口からトラップに注ぎ入れた。この後、排水口をトラップ蓋１１で閉じた。
トラップ内に注ぎ入れられた酸化水は、トラップ１３内にもともと存在する水で希釈され、酸化水の有効塩素濃度は１０００ｐｐｍとなり、ｐＨは９．５となっていた。
【００６６】
次に、トラップ内の酸化水を、バンドヒーターで８０℃まで加熱した。なお、トラップ内には熱電対（図示せず）が設置されており、その熱電対によりバンドヒーターを制御した。
【００６７】
加熱の開始から１時間後に加熱を止め、加熱後の酸化水の温度を４０℃以下に低下させた。この後、排水口からトラップ蓋を取り除き、水１Ｌを注ぎ入れ、トラップ内の水を排出した。ストレーナー上には、わずかな固形物がわずかに残っているのみであった。この固形分を回収し、水分をふき取り、その重量を計測したところ、０．１５ｇであった。殆どの毛髪が分解され、排水されたことがわかった。
【実施例２】
【００６８】
実施例１と同様にして、毛髪をストレーナー上に捕捉させた。毛髪がストレーナーに捕捉された状態で、１週間放置したところ、ストレーナーには、黒カビおよびヌメリが発生していた。
【００６９】
次に、実施例１と同様にして、酸化水を注ぎ入れ、加熱して処理したところ、ストレーナー上には、わずかな固形物を残すだけで、黒かびやヌメリは消失していた。この固形分を回収し、水分をふき取って、その重量を計測したところ、０．１４ｇであった。殆どの毛髪が分解して排水されたことがわかった。
【実施例３】
【００７０】
実施例１と同様の手順で実験を行った。本実施例では、毛髪を含有する排水の代わりに浴槽水を用いた。浴槽水には、トリグリセリドなどの皮脂成分と、洗剤成分により生成した脂肪酸エステル塩とが主成分として含まれている。そのほか、浴槽水の濁りの原因となる微生物が存在している。また、アミノ酸やＮａＣｌなどの成分も浴槽水に溶解している。
【００７１】
このような浴槽水を、トラップ内に通水した。その結果、トラップからは、濁りや沈降物のない処理水が排出された。
【００７２】
次に、ｐＨ７、有効塩素濃度１，５００ｐｐｍの酸化水１５０ｍｌを、酸化水供給手段により排水口からトラップ内に通水した。その後、トラップ蓋１１を閉じて、トラップの内容物を、バンドヒーターで１００℃で２時間加熱した。加熱後の酸化水の温度を４０℃以下に低下させた後に、排水口からトラップ蓋１１を除去し、排水口を開放して、水１Ｌを注ぎ入れて、加熱後の酸化水をトラップから排出した。ストレーナー上には、固形物がわずかに残るだけであった。トラップから排出された排水からは、有機酸などが検出され、トラップ内部の有機物が、上記処理によって分解され、トラップから排出されたことがわかった。
【００７３】
以上のように、ストレーナーは洗浄されており、再度有機物を含む排水を、トラップに通水しても、初期と同様の処理水を得ることができた。また、浴槽水に含まれる汚れは、上記処理により分解され可溶化されているために、従来の浄化施設や下水施設による生物酸化処理における処理性も向上している。よって、排水への負荷も低減することができる。
【実施例４】
【００７４】
実施例１と同様に、図２に示すフィルター装置を用いて実験を行った。
本実施例においても、５０ｍｍから１００ｍｍの長さの毛髪１．０ｇを水１Ｌに分散させたものを排水として用いた。
トラップ蓋１１を外して、トラップを開放した状態で、この排水を、排水口からトラップ内に注入した。その結果、毛髪はストレーナーに捕捉され、トラップから排出され排水管に流入した排水には毛髪は認められなかった。
【００７５】
トラップ内のストレーナーに毛髪が捕捉された状態を基準状態とし、ｐＨおよび有効塩素濃度が異なる酸化水をトラップに注ぎ、所定の温度で、所定の時間の間、加熱した。このとき、ｐＨ、有効塩素濃度、温度および時間の４つを制御因子として、それぞれ３水準ずつ変動させた。Ｌ９（３４）の直交によって、各因子を９種類に交互作用させた９実験を行った。それぞれの実験手順は、次の通りである。
【００７６】
先の基準状態のトラップに、ｐＨと有効塩素濃度とが異なる次亜塩素酸ナトリウム水溶液２００ｍｌを酸化水として、酸化水供給手段により注ぎ入れて、トラップ蓋１１を閉じた。注ぎ入れられた酸化水は、トラップ内にもともと存在する水で希釈された。その結果、トラップ内の酸化水の有効塩素濃度およびｐＨが変化した。
【００７７】
次に、トラップ内の酸化水を、ヒータを用いて加熱した。トラップ内には、熱電対（図示せず）が設置されており、その熱電対により、バンドヒーターの制御を行った。
【００７８】
所定の時間の後、加熱を止め、トラップの内容物を４０℃以下に冷却した。その後、排水口からトラップ蓋１１を除去して、排水口を開放し、その排水口から水１Ｌを注ぎ入れて、トラップ内の内容物をトラップから排出した。ストレーナー上には、固形物がわずかに残るのみであった。この固形物を回収し、水分をふき取って、その重量を計測した。基準状態における固形分の重量に対する処理後の固形物の重量の割合を百分率で表した値を可溶化率として算出した。
【００７９】
表１に、各実験における制御因子の水準および可溶化率を示す。また、表１から各制御因子の誤差分散とＳＮ比を算出し、各制御因子の可溶化率に対する要因効果を調べた。得られた結果を表２に示す。
【００８０】
【表１】
2007002526.tif 000003
【００８１】
【表２】
2007002526.tif 000004
【００８２】
誤差分散から計算されるＳＮ比が大きいほど、可溶化率を向上させるのには好ましいことが知られている。表２の結果から、ｐＨと温度が、毛髪のような有機物の可溶化に最も寄与する因子であることがわかる。
【００８３】
表２に示されるように、酸化水のｐＨは５．８以上であること、つまり中性から塩基性であることが好ましい。
【００８４】
また、酸化水の温度を変化させた場合、その加熱温度が１５０℃の場合、最も可溶化率が高くなった。この結果は、１５０℃を超える高温では、有機物が加水分解して生成したアミノ酸などの低分子化合物が更に副反応を起こして不溶物を形成することを示している。よって、加熱温度は１５０℃以下であることが好ましい。
【００８５】
さらに、表２の結果から、有効塩素濃度が大きいほど可溶化率が向上していることがわかる。このことは、次亜塩素酸や次亜塩素酸イオンによる酸化反応によって有機物の水への親和性が向上し、有機物が加水分解されやすくなり、その可溶化率が高くなることを示している。また、加熱時間は、短時間ほど好ましい。これは、可溶化率を低下させる副反応が存在することを示している。よって、加熱時間は３０分以内であることが好ましい。
【実施例５】
【００８６】
図３に示すフィルター装置を用いて実験を行った。
トラップ１３およびトラップ蓋１１としては、ステンレス製のものを用いた。トラップの内容積は１２０ｍｌであった。ストレーナー１２としては、ＳＵＳ製メッシュを用いた。ストレーナーの開孔の大きさは５００ミクロンであった。
トラップの側面をバンドヒータ１４で覆い、トラップ内部を外部から加熱できるようにした。
トラップに接続される排水管１５としては、硬質の塩化ビニル製でＵ字型のものを用いた。排水管１５は、Ｕ字の湾曲部が上方となるように、トラップに接続した。このとき、その湾曲部の内側の空間の下部の位置が位置基準線１６と同じになるようにした。
【００８７】
実験においては、５０ｍｍから１００ｍｍの毛髪１．０ｇを水１Ｌに分散させたものを排水として用いた。
トラップ蓋１１を外して、トラップを開放した状態で、この排水を、排水口からトラップ内に注入した。その結果、毛髪はストレーナー上に捕捉され、トラップから排出され排水管に流入した排水には毛髪は認められなかった。
【００８８】
次に、電解水生成手段１７に０．１重量％の食塩水を入れ、電解槽に設置された陽極および陰極間に直流電流を通電して、その食塩水を電気分解した。その結果、ｐＨ７．０、有効塩素濃度１０００ｐｐｍの酸化水が生成した。１５０ｍｌの酸化水を電解水生成手段からトラップ内に送液した。次に、トラップ内部を１２０℃で３０分加熱した。その後、加熱を止め、４０℃以下になるまで放置した。トラップ内部のストレーナーを通過した酸化水は少し茶褐色を帯びていた。
【００８９】
トラップ蓋１１を開放して、水１Ｌを注ぎいれたところ、ストレーナー上には、わずかな固形物を残すだけであった。この固形分を回収し、水分をふき取って重量を計測したところ、０．２５ｇであった。殆どの毛髪が分解して排水されたことがわかった。
【産業上の利用可能性】
【００９０】
本発明のフィルター装置は、有機物の浄化を低コストで行うことができ、また、その寿命を長くすることができる。また、エアコン、空気清浄機、クリーンルーム等のフィルターなどの浄化にも適応できる。
【図面の簡単な説明】
【００９１】
【図１】従来のフィルター装置の概略図である。
【図２】本発明の一実施形態に係るフィルター装置の概略図である。
【図３】本発明の別の実施形態に係るフィルター装置の概略図である。
【符号の説明】
【００９２】
１  化粧フタ
２  浴室床面
３  ストレーナー
４  封水筒
５  トラップ
６  排水管
【００９３】
１１  トラップ蓋
１２  ストレーナー
１３  トラップ
１４  ヒータ
１５  排水管
１６  位置基準線
１７  電解水生成手段
１８  液送手段
【図１】
2007002526.tif 000005
【図２】
2007002526.tif 000006
【図３】
2007002526.tif 000007